(57)【要約】【課題】ＡＣアダプタが接続可能で、取付面に強固に取り付けることのできるテーブルタップを提供する。【解決手段】プラグの複数の栓刃がそれぞれ挿入される３個の栓刃挿入口４１を具備した６個のプラグ差込口４２が前面に列設された器体１と、器体１の内部に収納され栓刃挿入口４１を通して挿入される栓刃を受ける複数の刃受ばね３６と、器体１の背面に取着され、器体１を磁性材料の取付面に固定するためのマグネットとを備え、隣接する少なくとも２つのプラグ差込口４２の間隔を、この２つのプラグ差込口４２に接続したＡＣアダプタが互いに干渉しないように他のプラグ差込口４２の間隔に比べて広くするとともに、マグネットをプラグ差込口４２の間隔を広げた部位の近傍に配置してある。【選択図】      図１
2004206966.tif 000002
【特許請求の範囲】
【請求項１】
プラグの複数の栓刃がそれぞれ挿入される複数の栓刃挿入口を具備した複数のプラグ差込口が前面に列設された器体と、器体の内部に収納され栓刃挿入口を通して挿入される栓刃を受ける複数の刃受ばねと、器体の背面に取着され、器体を磁性材料の取付面に固定するためのマグネットとを備え、隣接する少なくとも２つのプラグ差込口の間隔を、当該プラグ差込口に接続されるＡＣアダプタが互いに干渉しないように、他のプラグ差込口の間隔よりも広げるとともに、間隔を広げたプラグ差込口に対応する背面の部位に上記マグネットを配置したことを特徴とするテーブルタップ。
【請求項２】
上記複数の栓刃挿入口はそれぞれ略円弧状に形成され、栓刃挿入口の一方の端に挿入した栓刃が他方の端に移動するようにプラグを回動させると、栓刃に設けた透孔と係合して抜け止めを行う係合突起を刃受ばねに設けて成り、間隔を広げたプラグ差込口の内、少なくとも１つのプラグ差込口では、ＡＣアダプタの栓刃が栓刃挿入口の前記一方の端に移動するようにＡＣアダプタ本体を回動させた場合にＡＣアダプタ本体が突出する側にあるプラグ差込口との間隔を広げたことを特徴とする請求項１記載のテーブルタップ。
【発明の詳細な説明】
【０００１】
【発明の属する技術分野】
本発明は、テーブルタップに関するものである。
【０００２】
【従来の技術】
この種のテーブルタップとしては、１組の栓刃挿入口を有するプラグ差込口を複数備え、何れかのプラグ差込口にＡＣアダプタを接続した際に、ＡＣアダプタによって他のプラグ差込口が覆われないようにしたものが従来より提供されている（例えば特許文献１参照）。
【０００３】
【特許文献１】
特開２００１−２３７３９号公報（段落番号［００１０］−［００１４］、及び、第１図）
【０００４】
【発明が解決しようとする課題】
上述したテーブルタップは、例えばマグネットなどで磁性材料からなる取付面に仮固定されるのであるが、重量の重いＡＣアダプタを複数個接続した場合には、ＡＣアダプタの重量によってテーブルタップが取付面から外れてしまうという問題があった。
【０００５】
本発明は上記問題点に鑑みて為されたものであり、その目的とするところは、ＡＣアダプタが接続可能で、取付面に強固に取り付けることのできるテーブルタップを提供するにある。
【０００６】
【課題を解決するための手段】
上記目的を達成するために、請求項１の発明では、プラグの複数の栓刃がそれぞれ挿入される複数の栓刃挿入口を具備した複数のプラグ差込口が前面に列設された器体と、器体の内部に収納され栓刃挿入口を通して挿入される栓刃を受ける複数の刃受ばねと、器体の背面に取着され、器体を磁性材料の取付面に固定するためのマグネットとを備え、隣接する少なくとも２つのプラグ差込口の間隔を、当該プラグ差込口に接続されるＡＣアダプタが互いに干渉しないように、他のプラグ差込口の間隔よりも広げるとともに、間隔を広げたプラグ差込口に対応する背面の部位に上記マグネットを配置したことを特徴とする。
【０００７】
請求項２の発明では、請求項１の発明において、上記複数の栓刃挿入口はそれぞれ略円弧状に形成され、栓刃挿入口の一方の端に挿入した栓刃が他方の端に移動するようにプラグを回動させると、栓刃に設けた透孔と係合して抜け止めを行う係合突起を刃受ばねに設けて成り、間隔を広げたプラグ差込口の内、少なくとも１つのプラグ差込口では、ＡＣアダプタの栓刃が栓刃挿入口の前記一方の端に移動するようにＡＣアダプタ本体を回動させた場合にＡＣアダプタ本体が突出する側にあるプラグ差込口との間隔を広げたことを特徴とする。
【０００８】
【発明の実施の形態】
本発明の実施の形態を図１〜図１５に基づいて説明する。本実施形態のテーブルタップは、合成樹脂製のカバー１０及びボディ２０からなる器体１を備え、この器体１の内部に、それぞれ栓刃を受ける４つの刃受ばね３６を有する３個の端子板３０ａ〜３０ｃと、それぞれ栓刃を受ける２つの刃受ばね３６を有する３個の端子板３１ａ〜３１ｃと、３つの端子板３０ａ〜３０ｃのうち２つの端子板３０ａ，３０ｂを納装する中ボディ５０ａと、３つの端子板３１ａ〜３１ｃのうち２つの端子板３１ａ，３１ｂを納装する中ボディ５０ｂとを収納してある。器体１の長手方向における一端部には、カバー１０とボディ２０との接合部位に貫通孔２が形成されており、この貫通孔２を通して電源コード３の一端側が器体１内に導入され、端子板３０ａ，３１ａと端子板３０ｂ，３１ｂとが電源コード３を介して通電される。なお、電源コード３の他端には電圧極及び接地側極の栓刃７１，７１と接地極用の丸ピン７２とを備えたプラグ７０が接続されている。
【０００９】
端子板３０ａ〜３０ｃ、３１ａ〜３１ｃはそれぞれ一枚の金属を折り曲げることで形成される。端子板３０ａ〜３０ｃにはかしめ孔を有する端子片３２ａ〜３２ｃが一体に設けられており、リード線６０ａ〜６０ｃの一端に設けた端子６１の孔と、各端子片３２ａ〜３２ｃのかしめ孔とにかしめ鋲６２を通してかしめることで、リード線６０ａ〜６０ｃと端子板３０ａ〜３０ｃとがそれぞれ電気的に接続される。また、端子板３１ａ〜３１ｃの長手方向略中央にはねじ孔を有する端子片３３ａ〜３３ｃが一体に設けられており、リード線６０ａ〜６０ｃの他端に設けた端子６３の孔に端子ねじ６４を通して、端子片３３ａ〜３３ｃのねじ孔に螺着することによって、リード線６０ａ〜６０ｃと端子板３１ａ〜３１ｃとがそれぞれ電気的に接続される。而して、端子板３０ａ〜３０ｃと端子板３１ａ〜３１ｃとの間がそれぞれリード線６０ａ〜６０ｃを介して電気的に接続されており、電源コード３を介して商用電源に接続された時には、端子板３０ａ，３１ａ、又は、端子板３０ｂ，３１ｂが電圧極又は接地側極となり、端子板３０ｃ，３１ｃが接地極となる。
【００１０】
刃受ばね３６はそれぞれ一枚の栓刃を挟み込んで電気的に接触する２つの接触片３６ａからなり、各端子板３０ａ〜３０ｃ，３１ａ〜３１ｃの長手方向に沿ってそれぞれ略等間隔に配列している。各接触片３６ａの先端部は、幅広く略円弧状に形成されており、端子板３０ａ，３０ｂ，３１ａ，３１ｂの刃受ばね３６の一方の接触片３６ａ内面には、栓刃に形成されている透孔に係合して、接触片３６ａ，３６ａの間に挟み込んだ栓刃を抜け止めする係合突起３７が形成されている（図８（ａ）参照）。
【００１１】
また、端子板３０ａは、ねじ孔を有して電源コード３の芯線３ａに接続される端子片３４ａを備え、これと同様に、端子板３０ｂ，３０ｃも、それぞれねじ孔を有して電源コード３の芯線３ｂ，３ｃに接続される端子片３４ｂ，３４ｃを備えている。端子片３４ａ，３４ｂは、それぞれ端子板３０ａ，３０ｂの長手方向略中央に位置し、端子片３４ｃは、端子板３０ｃの長手方向の一端側に位置している。さらに、端子板３１ｃの長手方向の一端には、他の機器から引き出されるアース線を端子板３１ｃに接続するための、ねじ孔を有する端子片３４ｄが形成されている。これらの各端子片３４ａ〜３４ｄに芯線３ａ〜３ｃ又はアース線を接続するときには、端子ねじ３５を各端子片３４ａ〜３４ｄのねじ孔に螺着して、端子ねじ３５と各端子片３４ａ〜３４ｄとの間に芯線３ａ〜３ｃ又はアース線を挟み込む。
【００１２】
中ボディ５０ａは、一面を開口した細長略矩形箱状に形成されており、底面には内部に収められる端子板３０ａ，３０ｂを夫々絶縁隔離するための複数の隔離壁５１が形成されている。また、中ボディ５０ａの長手方向に沿った周壁５２の両端側には、中ボディ５０ａをボディ２０に固定するための固定用突起５３が突設されている。さらに、中ボディ５０ａの長手方向一端側の周壁５２の周縁部には、端子板３０ａ，３０ｂに設けた端子片３２ａ，３２ｂを挿通するための挿通用凹所５４ａ，５４ｂが形成されている。また中ボディ５０ｂは、中ボディ５０ａと同様の構造を有し、一面を開口した細長略矩形箱状に形成されており、底面には内部に収められる端子板３１ａ，３１ｂを夫々絶縁隔離するための複数の隔離壁５１が形成されている。また、中ボディ５０ｂの長手方向に沿った周壁５２の両端側には、中ボディ５０ｂをボディ２０に固定するための固定用突起５３が突設されている。
【００１３】
カバー１０およびボディ２０は、それぞれ一面を開口した細長略矩形箱状に形成され、器体１は、ボディ２０にカバー１０をそれぞれの周縁部が当接するようにねじ止めして取り付けることにより形成される。
【００１４】
カバー１０の前面側には、表裏に貫通して後述する中カバー４０を露出する略矩形の露出孔１１が長手方向に沿って６つ形成されるとともに、カバー１０の長手方向一端側の周縁部には、略半円形の凹部１２が形成され（図７（ｂ）参照）、他端側の周壁１０ａには端子板３１ｃの端子片３４ｄを露出するための略矩形の端子用凹部１３が凹設されている。
【００１５】
カバー１０の各露出孔１１には、略矩形平板状に形成された合成樹脂製の中カバー４０が背面側から取り付けられる。この中カバー４０には、プラグの栓刃がそれぞれ挿入される３つの略円弧状の栓刃挿入口４１が形成されており、これら３つの栓刃挿入口４１からプラグ差込口４２が構成される。
【００１６】
ここで、６つの露出孔１１の内、図２（ａ）中の左側の４つの露出孔１１と、右側の２つの露出孔１１の間隔は略同じ間隔Ｗ１で設けられているが、左から４番目の露出孔１１と５番目の露出孔１１との間の間隔Ｗ２は、これらの露出孔１１に取着した中カバー４０のプラグ差込口４２に接続されるＡＣアダプタ８０が互いに干渉しないように、他の露出孔１１の間隔Ｗ１に比べて広げられている（図９参照）。
【００１７】
一方、ボディ２０の長手方向両端部には、長手方向外側に突出する舌片２５が設けられており、これら２つの舌片２５にはボディ２０を造営面に取り付けるためのねじを挿通するねじ挿通孔２５ａが形成されている。
【００１８】
ボディ２０の長手方向一端側の周縁部には略半円形の凹部２２が形成され、凹部２２の奥には内部に導入される電源コード３の外被と当接する一対のコードファスナー２９，２９が収納されている。また、ボディ２０の長手方向の他端側の周壁２０ａには、端子板３１ｃの端子片３４ｄを露出するための略矩形の端子用凹部２３が凹設されている。
【００１９】
そして、ボディ２０の底面における中ボディ５０ａ，５０ｂの各固定用突起５３に対応する部位には、ボディ２０の開口面側に突出する矩形略平板状の係止片２４が撓み自在に設けられ、この係止片２４の先端には係止爪２４ａが、中ボディ５０ａ，５０ｂの固定用突起５３における中ボディ５０ａ，５０ｂの開口面に略平行な係止面５３ａと係止離脱自在に突設されている。
【００２０】
また、ボディ２０の底面には、カバー１０をボディ２０にねじ止めするための組立ねじ６を挿通する組立ねじ挿通孔２８ａが形成された４つの略円筒状のボス２８が立設されている。この組立ねじ挿通孔２８ａは、ボディ２０の背面側まで貫通しており、カバー１０をボディ２０に取り付けるときには、組立ねじ６をボディ２０背面側から組立ねじ挿通孔２８ａに挿通する。そして、ボス２８から前方に突出する組立ねじ６の先端部を、カバー１０の背面側に設けられたねじ穴１４（図７（ｂ）参照）に螺着する。
【００２１】
また更に、ボディ２０の背面における長手方向両端部と、２つの中ボディ５０ａ，５０ｂの間の部位には、マグネット５を収納する略矩形のマグネット用凹所２１が３つ凹設されている。
【００２２】
マグネット５は、図１０に示すように、磁石そのものである略直方体状のマグネット素体５ａと、鋼板等の磁性金属板で断面略コ字形に形成され、コ字形内側にマグネット素体５ａを収めて固定されるヨーク５ｂとからなり、ブロック状に形成されている。マグネット５長手方向一端のヨーク５ｂ略中央部には取付用爪５ｃが一体に延設され、マグネット５長手方向他端のヨーク５ｂ両側には、それぞれ取付用爪５ｄ，５ｄが一体に設けられている。また取付用爪５ｄは、先端部にヨーク５ｂ底面側に傾斜する傾斜面５ｅを有している。
【００２３】
マグネット用凹所２１は、図８（ｂ）に示すように略長方形の開口面を有し、長手方向一端側には、やや幅広の操作用凹部２１ａが形成されている。この操作用凹部２１ａ内には、底面から開口面側に向けて突出する弾性板片２１ｂが設けられており、この弾性板片２１ｂの先端部内側には一対の係合爪２１ｃが一体に突設され、係合爪２１ｃは開口面側に傾斜する傾斜面２１ｄを有している。弾性板片２１ｂは操作用凹部２１ａの内壁面と間隔を隔てて形成され、その厚み方向に弾性的に撓み変形するので、先端部の係合爪２１ｃは変位自在となる。また、マグネット用凹所２１の長手方向他端側の底部付近にはマグネット５の取付用爪５ｃと嵌合する係合孔（図示せず）が設けられている。
【００２４】
このマグネット用凹所２１内にマグネット５を嵌め込んで固定するときには、マグネット５の一端側をマグネット用凹所２１内に挿入し、マグネット用凹所２１内の係合孔に取付用爪５ｃを差し込んで係合させる。次に、マグネット５の他端側を内側に押し込むと、係合爪２１ｃの傾斜面２１ｄが取付用爪５ｄの傾斜面５ｅに押圧され、弾性板片２１ｂがマグネット５と反対方向へ弾性的に撓んで係合爪２１ｃが変位し、取付用爪５ｄが係合爪２１ｃに係合される。その結果、マグネット５は、図３に示すように、マグネット用凹所２１内に固定される。このようにマグネット５をマグネット用凹所２１に嵌め込んだときには、図１５に示すように磁石が吸着する部材で形成された例えばスチール製のデスク９０の側面にこのテーブルタップを仮固定することができ、床に転がって邪魔になるのを避けることができる。
【００２５】
また、マグネット用凹所２１内からマグネット５を取り外すときには、一対の係合爪２１ｃ，２１ｃの間においてマグネット５の端部と弾性板片２１ｂとの間に例えばマイナスドライバーなどの先部を差し込んで回動させる。これにより、弾性板片２１ｂがマグネット５と反対側に弾性的に撓んで係合爪２１ｃが変位し、取付用爪５ｄと係合爪２１ｃとの係合が解除される。そして、マグネット５の取付用爪５ｃが形成された一端側を操作用凹部２１ａ側にずらせるせると、係合孔に対する取付用爪５ｃの差し込み係合が外れ、マグネット用凹所２１内からマグネット５が取り外される。
【００２６】
ところで、上述のような本実施形態を組み立てるときには、先ずボディ２０の長手方向に沿った一方の周壁２０ａと隙間を開けて略対向するようにボディ２０底面に突設された複数の仕切壁２６に沿って、リード線６０ｃの一端がかしめ固定された端子板３０ｃと端子板３１ｃとを配設し、リード線６０ｃの他端を端子板３１ｃの端子片３３ｃにねじ止めする。
【００２７】
そして、リード線６０ａ，６０ｂが接続された端子板３０ａ，３０ｂを中ボディ５０ａに納装するとともに、端子板３１ａ，３１ｂを中ボディ５０ｂに納装して、これら中ボディ５０ａ，５０ｂをボディ２０内に挿入する。このとき中ボディ５０ａ，５０ｂは、ボディ２０の係止片２４を外側に撓ませながらボディ２０内部に挿入され、ボディ２０の底面側まで挿入されると係止片２４の係止爪２４ａが、中ボディ５０ａ，５０ｂの固定用突起５３の係止面５３ａと係止することによって、中ボディ５０ａ，５０ｂがボディ２０に固定される。
【００２８】
その後、リード線６０ａ，６０ｂを端子板３１ａ，３１ｂにねじ止めするとともに、電源コード３の絶縁被覆を剥いで各芯線３ａ〜３ｃが露出された一端側がボディ２０内部に位置するように、電源コード３をボディ２０の凹部２２に載置し、各芯線３ａ〜３ｃの先端部を、上述のように端子板３０ａ〜３０ｂの端子片３２ａ〜３２ｃに接続する。
【００２９】
次に、ボディ２０に中カバー４０が取り付けられたカバー１０を上述の組立ねじ６によりねじ止めする。ここで、カバー１０をボディ２０にねじ止めして取り付けたときには、カバー１０の凹部１２とボディ２０の凹部２２とで貫通孔２が形成され、電源コード３がこの貫通孔２を介して器体１の外部に導出された状態となる。尚、ボディ２０の底面には凹部２２の奥に複数の爪部７が設けられており、これらの爪部７が電源コード３を押圧することで、電源コード３と端子板３０ａ〜３０ｃとの接続部にかかる張力を除去している。
【００３０】
そして、上述のようにマグネット５をボディ２０に取り付けて組み立てられることにより、引掛栓刃を有する３極タイプのプラグが６つ接続可能な本実施形態のテーブルタップが、電源コード３に接続された状態で完成する。カバー１０前面の各栓刃挿入口４１の内側には各端子板３０ａ〜３０ｃの刃受ばね３６があり、プラグの栓刃を栓刃挿入口４１に挿入して回動することで、栓刃の透孔に接触片３６ａの係合突起３７が係合され、プラグの栓刃が抜け止めされる。
【００３１】
また、カバー１０及びボディ２０の端子用凹部１３，２３から形成される略矩形の端子用孔８からは、端子板３１ｃの端子片３２ｄが露出しているので、この端子片３２ｄと端子ねじ３５との間に他の機器のアース線を挟み、端子ねじ３５を螺着して締め付けることにより、前記アースと端子片３２ｄとが接続し、前記アース線に接続された機器を接地することができる。
【００３２】
ところで、上述した本実施形態では、図２（ａ）中の左から４番目と５番目のプラグ差込口４２の間隔Ｗ２を、外形の大きいＡＣアダプタ８０を接続しても互いに干渉することがないように、他のプラグ差込口４２の間隔Ｗ１に比べて広げているので、これら２つのプラグ差込口４２にＡＣアダプタ８０を隣接して取り付けることができる（図９参照）。また、ボディ２０の背面には、長手方向の両端部と間隔を広げたプラグ差込口４２の間の部位とにマグネット５を取り付けており、重量の重いＡＣアダプタ８０が接続されるプラグ差込口４２の近傍にマグネット５を配置しているので、ＡＣアダプタ８０が接続された場合でも器体１を取付面に確実に保持させることができる。
【００３３】
なお、本実施形態では円弧状の栓刃挿入口４１の一方の端に栓刃を挿入し、プラグを回動させて栓刃を他方の端まで移動させると、栓刃に設けた透孔が刃受ばね４６の係合突起４７と係合して抜け止めが行えるようになっており、ＡＣアダプタ８０をプラグ差込口４２に接続する場合には、図９において、先ずＡＣアダプタ８０のアダプタ本体８１を、栓刃（図示せず）を突設した側と反対側が左斜め上側にくるように傾けた状態で、ＡＣアダプタ８０の栓刃を栓刃挿入口４１に挿入した後、アダプタ本体を図中右回りに回動させて、栓刃をロック位置まで移動させているのであるが、左から５番目のプラグ差込口４２では左側にあるプラグ差込口４２との間隔を広げているので、アダプタ本体８１を回動させる際に隣接するプラグ差込口４２に接続されたプラグ（図示せず）と干渉することがなく、ＡＣアダプタ８０の着脱作業を容易に行うことができる。また、図９中の左端にあるプラグ差込口４２は、左側にプラグ差込口４２がないのでＡＣアダプタ８０の接続が可能である。
【００３４】
尚、本実施形態では、左側から４番目と５番目のプラグ差込口４２の間隔のみを広げているが、図１１〜図１５に示すように、端子板３１ａ〜３１ｃにそれぞれ設けた２個の刃受ばね３６の間隔Ｗ２を、端子板３０ａ〜３０ｃにそれぞれ設けた４個の刃受ばね３６の間隔Ｗ１より広げるとともに、端子板３０ａ〜３０ｃの右端の刃受ばね３６と端子板３１ａ〜３１ｃの左端の刃受ばね３６との間隔がＷ２となるように、端子板３０ａ〜３０ｃ、３１ａ〜３１ｃを配置し、刃受ばね３６の位置に合わせてカバー１０の露出孔１１の位置を変更しても良く、右端の３個のプラグ差込口４２では、これらのプラグ差込口４２に接続したＡＣアダプタ８０が互いに干渉しないようにその間隔を広げているので、これらのプラグ差込口４２に連続してＡＣアダプタ８０を取り付けることができる。また、右端の２個のプラグ差込口４２では、接続されたＡＣアダプタ８０を回動させても、左隣のプラグ差込口４２に接続されたプラグと干渉することがないので、左隣のプラグ差込口４２に接続されたプラグを外すことなく、ＡＣアダプタ８０の着脱が行える。
【００３５】
【発明の効果】
上述のように、請求項１の発明は、プラグの複数の栓刃がそれぞれ挿入される複数の栓刃挿入口を具備した複数のプラグ差込口が前面に列設された器体と、器体の内部に収納され栓刃挿入口を通して挿入される栓刃を受ける複数の刃受ばねと、器体の背面に取着され、器体を磁性材料の取付面に固定するためのマグネットとを備え、隣接する少なくとも２つのプラグ差込口の間隔を、当該プラグ差込口に接続されるＡＣアダプタが互いに干渉しないように、他のプラグ差込口の間隔よりも広げるとともに、間隔を広げたプラグ差込口に対応する背面の部位に上記マグネットを配置したことを特徴とし、プラグ差込口の間隔が広い部分を設けることでＡＣアダプタを連続して接続することができ、さらに間隔を広げたプラグ差込口に対応する背面の部位にマグネットを配置しているので、重量の重いＡＣアダプタが接続された場合でも器体を取付面に確実に保持させることができる。
【００３６】
請求項２の発明は、請求項１の発明において、上記複数の栓刃挿入口はそれぞれ略円弧状に形成され、栓刃挿入口の一方の端に挿入した栓刃が他方の端に移動するようにプラグを回動させると、栓刃に設けた透孔と係合して抜け止めを行う係合突起を刃受ばねに設けて成り、間隔を広げたプラグ差込口の内、少なくとも１つのプラグ差込口では、ＡＣアダプタの栓刃が栓刃挿入口の前記一方の端に移動するようにＡＣアダプタ本体を回動させた場合にＡＣアダプタ本体が突出する側にあるプラグ差込口との間隔を広げたことを特徴とし、ＡＣアダプタを接続する際に、ＡＣアダプタを回動させても隣接するプラグ差込口に接続されたプラグと干渉するのを防止でき、隣接するプラグ差込口に接続されたプラグを外すことなく、ＡＣアダプタの着脱を行うことができる。
【図面の簡単な説明】
【図１】本実施形態のテーブルタップの分解斜視図である。
【図２】同上を示し、（ａ）は正面図、（ｂ）は側面図である。
【図３】同上の背面図である。
【図４】同上の右側から見た側面図である。
【図５】同上の一部破断せる側面図である。
【図６】（ａ）は同上のカバーを外した状態の正面図、（ｂ）はプラグの側面図、（ｃ）はプラグの正面図である。
【図７】同上のカバーを示し、（ａ）は正面図、（ｂ）は背面図である。
【図８】同上のボディを示し、（ａ）は正面図、（ｂ）は背面図である。
【図９】同上にテーブルタップを取り付けた状態の正面図である。
【図１０】同上のマグネットの外観斜視図である。
【図１１】同上の別のテーブルタップを示し、（ａ）は正面図、（ｂ）は側面図である。
【図１２】同上の背面図である。
【図１３】同上にテーブルタップを取り付けた状態の正面図である。
【図１４】同上にテーブルタップを取り付けた状態の斜視図である。
【図１５】同上の使用状態の説明図である。
【符号の説明】
１    器体
３６  刃受ばね
４１  栓刃挿入口
４２  プラグ差込口
【図１】
2004206966.tif 000003
【図２】
2004206966.tif 000004
【図３】
2004206966.tif 000005
【図４】
2004206966.tif 000006
【図５】
2004206966.tif 000007
【図６】
2004206966.tif 000008
【図７】
2004206966.tif 000009
【図８】
2004206966.tif 000010
【図９】
2004206966.tif 000011
【図１０】
2004206966.tif 000012
【図１１】
2004206966.tif 000013
【図１２】
2004206966.tif 000014
【図１３】
2004206966.tif 000015
【図１４】
2004206966.tif 000016
【図１５】
2004206966.tif 000017